(57)【特許請求の範囲】
【請求項１】
壁面に取り付けられるベース部品と、手摺り棒を取り付けるブラケット本体部品とを備え、
前記ベース部品が、ブラケット本体部品を連結する連結部を上下方向に位置を異ならせて複数備え、
該連結部の群からブラケット本体部品を連結する連結部を選択することにより、手摺り棒の取付け高さ位置を変更することができるようになされており、
前記連結部は上下２つ備えられ、ブラケット本体部品の連結されていない側の連結部を隠す空き側カバー部品が備えられ、
該空き側カバー部品は、上下いずれの連結部に対しても、空き側の連結部を隠すように着脱可能に取り付けることができるようになされていて、手摺り棒の高さ位置を変更しても同じ空き側カバー部品をそのまま用いて空き側の連結部を隠すことができるようになされていることを特徴とする手摺り用ブラケットの構造。
【請求項２】
前記ブラケット本体部品の連結されている側を隠す連結側カバー部品が備えられ、
該連結側カバー部品は、上下いずれの連結部に対しても、前記空き側カバー部品に妨げられることなく、連結側を隠すように着脱可能に取り付けることができるようになされていて、手摺り棒の高さ位置を変更しても同じ連結側カバー部品をそのまま用いて連結側を隠すことができるようになされている請求項１に記載の手摺り用ブラケットの構造。
【請求項３】
前記連結側カバー部品及び／又は空き側カバー部品に、ベース部品を壁面に取り付ける取付け部を隠すカバー部が備えられている請求項２に記載の手摺り用ブラケットの構造。
【発明の詳細な説明】
【技術分野】
【０００１】
本発明は、手摺り用ブラケットの構造に関する。
【背景技術】
【０００２】
住宅等の建物において、階段や廊下に設けられた手摺り棒の取付け高さ位置を、子供の成長に伴って、子供に合わせた高さ位置から、大人に合わせた高さ位置へと変更をすることがあるが、そのような場合の取付け高さ位置の変更は、手摺り棒をブラケットから外すと共に、ブラケットを壁面から外し、壁面に対するブラケットの取付け高さ位置を変更し、ブラケットに手摺り棒を付け直すというようにして行われるのが普通である。
【特許文献１】特開２００４−３１２９号公報
【発明の開示】
【発明が解決しようとする課題】
【０００３】
しかしながら、上記のような方法では、壁面から外したブラケットを、どの高さ位置に変更するのかを決定する作業、及び、決定した高さ位置にブラケットを位置決めして付け直す作業に手間を要し、作業が厄介であるという問題がある。
【０００４】
また、取付け高さ位置の変更に伴って、壁面にビス孔が露出してしまうため、それを隠す孔埋めとクロスの補修をしなければならず、その面からも作業が厄介であるという問題もある。
【０００５】
本発明は、上記のような問題点に鑑み、手摺り棒の高さ位置の変更を作業容易に行うことができ、しかも、それを簡素な構造により実現することができる手摺り用ブラケットの構造を提供することを課題とする。
【課題を解決するための手段】
【０００６】
上記の課題は、壁面に取り付けられるベース部品と、手摺り棒を取り付けるブラケット本体部品とを備え、
前記ベース部品が、ブラケット本体部品を連結する連結部を上下方向に位置を異ならせて複数備え、
該連結部の群からブラケット本体部品を連結する連結部を選択することにより、手摺り棒の取付け高さ位置を変更することができるようになされていることを特徴とする手摺り用ブラケットの構造によって解決される（第１発明）。
【０００７】
このブラケット構造では、手摺り棒の高さ位置の変更は、壁面に対するベース部品の取付け位置を変更することなく、ベース部品に対するブラケット本体部品の連結高さ位置を、ベース部品に予め備えられている複数の連結部のうちからいずれかの連結部を選択することで決定し、その連結部に連結し直すだけでよく、そのため、どの高さ位置に変更するのかを決定する作業、及び、決定した高さ位置にブラケット本体部品を位置決めして付け直す作業を容易に行うことができて、手摺り棒の高さ位置の変更を容易に行うことができる。
【０００８】
しかも、ブラケットを、ベース部品とブラケット本体部品とに分割し、ベース部品にブラケット本体部品を連結する複数の連結部を備えさせただけのものであるから、簡素な構造により、それを実現することができる。
【０００９】
第１発明において、前記連結部が上下２つ備えられ、ブラケット本体部品の連結されていない側の連結部を隠す空き側カバー部品が備えられ、
該空き側カバー部品は、上下いずれの連結部に対しても、空き側の連結部を隠すように着脱可能に取り付けることができるようになされているとよい（第２発明）。
【００１０】
この場合は、空き側カバー部品によって、ブラケット本体部品の連結されていない側の連結部を隠すことができて、きれいな仕上がり状態を形成することができると共に、それを、空き側カバー部品の取付けによって容易に行うことができる。
【００１１】
しかも、空き側カバー部品は、上下いずれの連結部に対しても、空き側の連結部を隠すように着脱可能に取り付けることができるようになされているので、手摺り棒の高さ位置を変更しても、同じ空き側カバー部品で空き側の連結部を隠すことができて、少ない部品点数で、部品を有効利用して、きれいな仕上がり状態を形成することができる。
【００１２】
第２発明において、前記ブラケット本体部品の連結されている側を隠す連結側カバー部品が備えられ、
該連結側カバー部品は、上下いずれの連結部に対しても、前記空き側カバー部品に妨げられることなく、連結側を隠すように着脱可能に取り付けることができるようになされており、かつ、
該連結側カバー部品及び／又は前記空き側カバー部品に、ベース部品を壁面に取り付ける取付け部を隠すカバー部が備えられているとよい（第３発明）。
【００１３】
この場合は、連結側カバー部品と、空き側カバー部品と、それらのいずれか一方又は両方に備えられているベース部品取付け部隠しカバー部とによって、空き側、連結側の各連結部とベース部品取付け部とを隠すことができて、より一層きれいな仕上がり状態を形成することができると共に、それを、空き側カバー部品と連結側カバー部品の取付けによって容易に行うことができる。
【００１４】
しかも、連結側カバー部品は、上下いずれの連結部に対しても、前記空き側カバー部品に妨げられることなく、連結側を隠すように着脱可能に取り付けることができるようになされているので、手摺り棒の高さ位置を変更しても、同じ連結側カバー部品で連結側を隠すことができて、少ない部品点数で、部品を有効利用して、きれいな仕上がり状態を形成することができる。
【発明の効果】
【００１５】
本発明は、以上のとおりのものであるから、手摺り棒の高さ位置の変更を作業容易に行うことができ、しかも、それを簡素な構造により実現することができる。
【発明を実施するための最良の形態】
【００１６】
次に、本発明の実施最良形態を図面に基づいて説明する。
【００１７】
図１〜図３に示す手摺り用ブラケットにおいて、１はベース部品、２はブラケット本体部品、３は空き側カバー部品、４は連結側カバー部品である。
【００１８】
ベース部品１は、その背面部を壁面５に沿わせ、高さ方向の中間部に設けられている取付け部としてのビス孔６…を通じて、正面側から、ビス７…を打ち込むことにより、壁面５に固着状態に取り付けることができるようになされている。
【００１９】
ブラケット本体部品２は、手摺り棒８が取り付けられるもので、ベース部品１に連結される基部９と、アーム部１０と、手摺り棒取付け部１１とを備えている。
【００２０】
そして、図１（イ）に示すように、ベース部品１の正面側には、ブラケット本体部品２の基部９をしっくりと嵌合させることができる２つの位置決め用凹所１２，１２が、ベース部品取付け部６を挟むようにして、上下方向に位置を異ならせて設けられ、各凹所１２，１２の底面にはビス孔１３…が設けられ、ブラケット本体部品２の基部９を、凹所１２，１２の選択したいずれか一方に嵌合した状態で、図２（イ）（ロ）に示すように正面側からビス７を打つことにより、ブラケット本体部品２をベース部品１の上下いずれの凹所１２，１２の側に対しても連結することができるようになされて、凹所１２，１２とビス孔１３…とでブラケット本体部品２を連結する上下の連結部１４，１４を構成している。
【００２１】
空き側カバー部品３は、ベース部品１において、ブラケット本体部品２の連結されていない空き側の連結部を隠すもので、本実施形態では、空き側カバー部品３に、ベース部品取付け部６…を隠すカバー部３ａが一体的に備えられており、上下反転させることにより、ベース部品１の上下いずれの連結部１４，１４に対しても、空き側の連結部とベース部品取付け部６…とを隠すように着脱可能に取り付けることができるようになされている。
【００２２】
該空き側カバー部品３の取付けは、空き側カバー部品３をベース部品１の正面側に押し付けて、ベース部品１の両側に設けられた左右の係合部１ａ，１ａと、空き側カバー部品３の両側に設けられた左右の係合部３ｂ，３ｂとを係合状態にすることによって行うことができるようになされていると共に、取外しは、それらの係合を解除することで行うことができるようになされている。
【００２３】
連結側カバー部品４は、ベース部品１において、ブラケット本体部品２の連結されている側を隠すもので、連結側が上下いずれであっても、空き側カバー部品３に妨げられることなく、連結側を隠すことができるようになされていて、着脱可能に取り付けることができるようになされている。
【００２４】
該連結側カバー部品４の取付けは、ブラケット本体部品２のアーム部１０を差し込み可能な、一体側が開で他端側が閉のスリット部１５が連結側カバー部品４に設けられ、該スリット部１５の開部を下方又は斜め下方に向け、アーム部１０を差し込んだ状態にし、ベース部品１に沿わせるようにすることによって行うことができるようになされていて、連結側が上下いずれであっても、姿勢状態を変えることなく取付けを行うことができるようになされている。取外しは、連結側カバー部品４を上方ないしは斜め上方に動かしてスリット部１５からアーム部１０を抜出することによって行うことができるようになされている。
【００２５】
上記の手摺り用ブラケットでは、手摺り棒８の高さ位置を変更する場合には、壁面５に対するベース部品１の取付け位置を変更することなく、図２（イ）（ロ）に示すように、ベース部品１に対するブラケット本体部品２の連結高さ位置を、ベース部品１に予め備えられている２つの連結部１４，１４のうちから空いた方の連結部を選択し、その連結部に連結し直すだけでよい。
【００２６】
よって、どの高さ位置に変更するのかを決定する作業、及び、決定した高さ位置にブラケット本体部品を位置決めして付け直す作業を容易に行うことができて、手摺り棒８の高さ位置の変更を容易に行うことができる。
【００２７】
しかも、ブラケットを、ベース部品１とブラケット本体部品２とに分割し、ベース部品１にブラケット本体部品２を連結する２つの連結部１４，１４を備えさせただけのものであるから、簡素な構造により、それを実現することができる。
【００２８】
加えて、空き側カバー部品３の採用によって、ブラケット本体部品２の連結されていない側の連結部を隠すことができて、空き側連結部におけるビス孔等の隠された、きれいな仕上がり状態を形成することができると共に、連結側カバー部品４とベース部品取付け部隠しカバー部３ａの採用によって、連結側の連結部とベース部品取付け部も隠すことができて、ビス打ち部等の隠された、より一層きれいな仕上がり状態を形成することができ、しかも、それを、空き側カバー部品３と連結側カバー部品４の取付けによって容易に行うことができる。
【００２９】
更に、図３（イ）（ロ）に示すように、空き側カバー部品３は、上下いずれの連結部１４，１４に対しても、空き側の連結部を隠すように着脱可能に取り付けることができるようになされていると共に、連結側カバー部品４も、上下いずれの連結部１４，１４に対しても、前記空き側カバー部品３に妨げられることなく、連結側を隠すように着脱可能に取り付けることができるようになされているので、手摺り棒８の高さ位置を変更しても、同じ空き側カバー部品３で空き側の連結部を隠し、同じ連結側カバー部品４で連結側を隠すことができて、少ない部品点数で、部品を有効利用して、きれいな仕上がり状態を形成することができる。
【００３０】
以上に、本発明の実施形態を示したが、本発明はこれに限られるものではなく、発明思想を逸脱しない範囲で各種の変更が可能である。例えば、上記の実施形態では、ベース部品に備えられる連結部の数が上下２つで、手摺り棒の高さ位置を２段変更することができるようになされている場合を示したが、第１発明では、連結部をベース部品に対して上下方向に３つ以上備えさせ、３段以上の変更をすることができるようになされていてもよい。
【図面の簡単な説明】
【００３１】
【図１】実施形態の手摺り用ブラケットを示すもので、図（イ）はベース部品とブラケット本体部品とを分離状態にして示す一部断面斜視図、図（ロ）は空き側カバー部品の斜視図、図（ハ）は連結側カバー部品の斜視図である。
【図２】図（イ）（ロ）は、ベース部品に対するブラケット本体部品の取付け状態を、手摺り棒の高さ位置の変更前後において比較して示す正面図である。
【図３】図（イ）（ロ）は、空き側カバー部品と連結側カバー部品の取付け状態を、手摺り棒の高さ位置の変更前後において比較して示す正面図である。
【符号の説明】
【００３２】
１…ベース部品
２…ブラケット本体部品
３…空き側カバー部品
３ａ…ベース部品取付け部カバー部
４…連結側カバー部品
５…壁面
６…ビス孔（ベース部品取付け部）
８…手摺り棒
９…基部
１４…連結部
【図１】
0005356730.tif 000002
【図２】
0005356730.tif 000003
【図３】
0005356730.tif 000004